(57)【要約】【課題】  下着やズボンを脱ぐことなく、容易に下着へ着脱することが出来る失禁対策用の漏れ防止部材の提供。【解決手段】  下着（１０）に取り付ける防水シート（５）と、その防水シート（５）の上部に取り付けられた吸収体（２）と、その吸収体（２）の全周を包囲する表面体（３）により構成され、前記吸収体（２）は着用者の放尿部を覆う大きさに形成され、前記防水シート（５）は下着（１０）の身体（Ｂ）に接触する側に着脱可能に構成されていて、前記吸収体（２）をカバーする大きさに形成され、前記表面体（３）は着用者の身体（Ｂ）側が透水性である。【選択図】図３
2011030864.tif 000002
【特許請求の範囲】
【請求項１】
下着に取り付ける防水シートと、その防水シートの上部に取り付けられた吸収体と、その吸収体の全周を包囲する表面体により構成され、前記吸収体は着用者の放尿部を覆う大きさに形成され、前記防水シートは下着の身体に接触する側に着脱可能に構成されていて前記吸収体をカバーする大きさに形成され、前記表面体は着用者の身体側が透水性であることを特徴とする失禁時の漏れ防止部材。
【請求項２】
前記防水シートの着用者の身体から離隔した側に粘着剤が塗布され、その粘着剤の塗布領域は、防水シートの胸部側の端部であり、及び／又は、胸部から離隔する側である請求項１の失禁時の漏れ防止部材。
【請求項３】
前記防水シートの着用者の脇側両端部は、胸部側と胸部から離隔する側とを結ぶ方向について弾性を有する請求項１、２の何れかの失禁時の漏れ防止部材。
【請求項４】
下着に取り付ける防水シートと、その防水シートの身体に接触する側に取り付けられた吸収体と、その吸収体の全周を包囲する表面体とで構成され、前記吸収体は着用者の放尿部及び大便排出部を覆う大きさに形成され、前記防水シートは下着における身体に接触する側に着脱可能に構成され、前記吸収体をカバーする大きさに形成され、前記表面体は着用者の身体側が透水性であることを特徴とする失禁時の漏れ防止部材。
【請求項５】
前記防水シートの下着側に粘着剤が塗布され、その粘着剤の塗布領域は、防水シートの胸部側の端部及び尻部側の端部である請求項４の失禁時の漏れ防止部材。
【請求項６】
記防水シートの着用者の脇側両端部は、胸部側と尻部とを結ぶ方向について弾性を有する請求項４、５の何れかの失禁時の漏れ防止部材。
【発明の詳細な説明】
【技術分野】
【０００１】
本発明は、便漏れ防止技術に関する。より詳細には、本発明は、失禁対策用として下着に取り付けて使用する便漏れ防止部材に関する。
【背景技術】
【０００２】
小便漏れ防止用の下着（いわゆる「紙おむつ」）としては、従来から種々提案されている。図１１〜図１４において、その一例を示す。
下着１０Ａを正面から示す図１１において、下着１０Ａの股間に相当する部位に、小便漏れ防止材１Ａが取り付けられている。図１１の側面を示す図１２において、前記小便漏れ防止材１Ａが取り付けられているのは、下着１０Ａの前下部である。
ここで、図１１〜図１４で示す従来技術では、小便漏れ防止材１Ａは、下着１０Ａの１部として、下着１０Ａと一体化している。
【０００３】
図１２をＸ方向から見て展開した状態を示す図１３と、図１３のＺ−Ｚ断面を示す図１４とにおいて、小便漏れ防止材１Ａは、伸縮性を有する非透水性の紙材による下着１０Ａに取り付けられている。
小便漏れ防止材１Ａは、紙製の下着１０Ａに取り付けられた防水シート５Ａを有している。そして小便漏れ防止材１Ａは、綿状の吸収材２が表面材３Ａで被覆されて構成されており、吸収材２は、防水シート５Ａの上部（使用者の身体側：図１４においては左側）に取り付けられている。
【０００４】
図１１〜図１４が小便漏れ防止材１Ａの従来技術を示すのに対して、図１５〜図１７は、従来の小便及び大便漏れ防止用の下着１０Ｂの従来技術を示している。
図１５〜図１７に示す下着１０Ｂでは、小便及び大便漏れ防止用材１Ｂを設けている。
小便及び大便漏れ防止用材１Ｂが図１１〜図１４で示す小便漏れ防止材１Ａよりも使用者の肛門側まで到達している点を除けば、図１１〜図１４で示す下着１０Ａと、図１５〜図１７で示す下着１０Ｂとは、概略、同様である。
【０００５】
図１１〜図１７で示す従来の下着１０Ａ及び下着１０Ｂには、以下のような不具合がある。
先ず、身体が不自由で、自分で排便処理の出来ない成人（例えば、いわゆる「寝たきり」の高齢者）に対して使用する場合には、吸収した小便あるいは大便を除去し廃棄するためには、介護者が、下着１０Ａ、１０Ｂを、（身体が不自由で、自分で排便処理の出来ない）着用者から脱がせる必要がある。また、下着１０Ａ、１０Ｂを脱がせた後、介護者が、新しい下着１０Ａ、１０Ｂを（自分で排便処理の出来ない人に）装着してやる（履かせる）必要がある。
この様に、自分で排便処理の出来ない人に対して、下着１０Ａ、１０Ｂを脱がせたり、新たに装着させたりする作業は、多大な労力を必要であり、介護者にとって大変な負担となる。
【０００６】
また、小便あるいは大便を除去し廃棄する際に、必ず下着１０Ａ、１０Ｂを廃棄することになるので、廃棄物の量が多くなり、廃棄のためのコストの増大を招いてしまう。
さらに、従来技術における漏れ防止材１Ａ、１Ｂは嵩張るため、下着１０Ａ、１０Ｂを装着する使用者に違和感を与えてしまうという問題や、漏れ防止材１Ａ、１Ｂが下腹部あるいは肛門周辺の通気性を阻害するため、特に夏期に蒸れてしまい、装着者に不快感を与えてしまう等の問題が存在する。
それに加えて、従来技術に係る下着１０Ａ、１０Ｂでは、その上からズボン等の衣類を着用した際に、当該衣類が異様に膨張してしまうので、外見の見栄を悪くしてしまう。
【０００７】
ここで、身体が不自由ではなく、自分で排便処理の出来るが、便意（尿意）をもよおしてから排出までの時間が短いため、失禁してしまう場合（例えば、高齢者の場合）における対策として、図１１〜図１７で示す従来の下着１０Ａ及び下着１０Ｂを常時着用するのではなく、長時間の外出時等、失禁する可能性がある場合にのみ、予め、女性の生理用ナプキン等を下着に取り付けておくことも考えられる。
【０００８】
しかし、女性の生理用のナプキンは、失禁して下着を汚してしまう部分に取り付け、取り外すことを前提としていない。そのため、取り付けや取り外しが簡単ではなく、下着に取り付けた後に変位してしまい、尿を十分吸収しない事態が考えられる。
さらに、女性の生理用ナプキンが想定する液体吸収量に比較して、失禁の際における尿の量は遥かに多い。そのため、女性の生理用ナプキンでは、吸収量が不十分であるという問題を有している。
したがって、女性の生理用ナプキン等を下着に取り付けておくことは、上述した様な失禁の対策としては、不都合である。
【０００９】
その他の従来技術として、ペニスを股間に収納して、外見をすっきり見せる技術がある（特許文献１参照）。
しかし、係る従来技術（特許文献１）は、上述した問題を解決するものではない。
【先行技術文献】
【特許文献】
【００１０】
【特許文献１】特許４１７７４４８号公報
【発明の概要】
【発明が解決しようとする課題】
【００１１】
本発明は上述した従来技術の問題点に鑑みて提案されたものであり、下着やズボンを脱ぐことなく、容易に使用することが出来る失禁対策用の漏れ防止部材の提供を目的としている。
【課題を解決するための手段】
【００１２】
本発明の失禁時の漏れ防止部材（１）は、下着（１０）に取り付ける防水シート（５）と、その防水シート（５）の（着用者の）身体（Ｂ）に接触する側に取り付けられた吸収体（２）と、その吸収体（２）の全周を包囲する表面体（３）により構成され、前記吸収体（２）は着用者の放尿部を覆う大きさに形成され、前記防水シート（５）は下着（１０）の身体（Ｂ）に接触する側に着脱可能に構成されていて、前記吸収体（２）をカバーする大きさに形成され、前記表面体（３）は着用者の身体（Ｂ）側が透水性であることを特徴としている。
ここで、吸収体（２）の吸収容量は、着用者の尿排出量に対応して決定されるのが好ましい。例えば日本人の平均体形 (男性身長１７１．１ｃｍ、体重６３．０ｋｇ、女性身長１５８．５１ｃｍ、体重５２．０ｋｇ：総務省統計局２００６年資料)では、４００グラム（ｇ）程度の吸収量が好ましい。この場合の吸収体２のサイズは、幅が１００ｍｍ、高さが１２０ｍｍ、厚さが８ｍｍ程度であるのが好ましい。
【００１３】
本発明において、前記防水シート（５）の着用者の身体から離隔した側に粘着剤（６）が塗布され、その粘着剤（６）の塗布領域は、防水シート（５）の胸部側（Ｃ：着用者の胸或いは腹に近い側）の端部（５ｕ）であり、及び／又は、胸部から離隔する側（Ｔ：着用者の胸或いは腹から離隔する側、肛門に近い側）の端部（５ｄ）であることが好ましい。換言すれば、前記防水シート（５）の下着（１０）側（利用者の身体から離隔した側）に粘着剤（６）が塗布することにより、防水シート（５）が下着（１０）に着脱可能に構成されることが好ましい。
なお、粘着剤（６）に代えて、粘着テープ、ホック、ボタン等で下着（１０）の身体（Ｂ）に接触する側に取り付けてもよい。また、多数の鉤と輪で構成された面ファスナーを使用することも可能である。
【００１４】
また本発明において、前記防水シート（５）の着用者の脇側両端部（８、８）は、胸部側（Ｃ）と胸部から離隔する側（Ｔ）とを結ぶ方向（利用者の身長方向：図４におけるＵＬ方向）について弾性を有することが好ましい。
【００１５】
本発明の失禁時の漏れ防止部材（１Ｃ）は、下着（１０）に取り付ける防水シート（５Ｃ）と、その防水シート（５Ｃ）の（着用者の）身体（Ｂ）に接触する側に取り付けられた吸収体（２Ｃ）と、その吸収体（２Ｃ）の全周を包囲する表面体（３Ｃ）とで構成され、前記吸収体（２）は着用者の放尿部（陰部先端）及び大便排出部（肛門）を覆う大きさに形成され、前記防水シート（５Ｃ）は下着（１０）における身体（Ｂ）が接触する側に着脱可能に構成され、前記吸収体（２Ｃ）をカバーする大きさに形成され、前記表面体（３Ｃ）は着用者の身体（Ｂ）側が透水性であることを特徴としている。
ここで、吸収体（２Ｃ）の吸収容量は、着用者の排出量に応じて決定するのが好ましい。例えば、前記日本人の平均体形 (男性身長１７１．１ｃｍ、体重６３．０ｋｇ、女性身長１５８．５１ｃｍ、体重５２．０ｋｇ)では、吸収体（２Ｃ）の吸収容量は、５００グラム（ｇ）程度が好ましい。この場合の吸収体（２）のサイズは、例えば、幅が１００ｍｍ、高さ（長さ）が３３０ｍｍ、厚さが８ｍｍ程度である。
【００１６】
本発明において、前記防水シート（５Ｃ）の下着（１０）側に粘着剤（６）が塗布され、その粘着剤（６）の塗布領域は、防水シート（５Ｃ）の胸部（Ｃ）側の端部（５Ｃｕ）及び尻部（Ｄ）側の端部（５Ｃｄ）であることが好ましい。
前記防水シート（５Ｃ）の下着（１０）側に粘着剤（６）を塗布することにより、失禁時の漏れ防止部材（１Ｃ）が、下着（１０）に着脱可能に構成されるのが好ましい。
なお、粘着剤（６）に代えて、粘着テープ、ホック、ボタン等を、下着（１０）の身体（Ｂ）に接触する側に取り付けてもよい。また、多数の鉤と輪で構成された面ファスナーを使用することも可能である。
【００１７】
前記防水シート（５）の着用者の脇側両端部（８）は、胸部側（Ｃ）と尻部（Ｄ）とを結ぶ方向（利用者の身長方向：図９におけるＵＬ方向）について弾性を有することが好ましい。
【発明の効果】
【００１８】
上記の構成を有する本発明の漏れ防止部材によれば、防水シート（５）は粘着剤（６）によって下着（１０）の身体（Ｂ）に接触する側に着脱容易な態様で取り付けられているので、漏れ防止部材も下着に対して着脱容易であり、着用者が下着（１０）を脱ぐことなく、自分の手で下着に着用することが出来る。
そして、着用者が失禁したとしても、排出した尿は全て本発明の漏れ防止部材で吸収されるので、尿が下着や衣服に浸透してしまうこと、いわゆる「尿漏れ」が防止できる。
また、着用者が自分で漏れ防止部材（１）を着脱できない場合においても、看護者が、着用者の下着（１０）を脱がせることなく、漏れ防止部材（１）を着用者に対して容易に着脱することができる。
これに加えて、本発明の漏れ防止部材を装着した下着から当該漏れ防止部材を取り外せば、通常の下着として用いることが出来る。それと共に、使用済みの漏れ防止部材を廃棄すれば、下着はそのまま使用することが出来るので、下着自体は何度も使用し続けることが出来る。この点で、いわゆる「使い捨て」の紙おむつ等に比較して、経済的である。
【００１９】
本発明において、前記吸収体（２Ｃ）を着用者の放尿部（陰部先端）及び大便排出部（肛門）を覆う大きさに形成すれば、尿や便が漏れてしまうことが防止できる。
そして、着用者が本発明の漏れ防止部材を自分で着用する場合には、下着（１０）を脱がなくても、下着（１０）を穿いたままで、本発明の漏れ防止部材を下着に着用することが出来る。
着用者が自分で漏れ防止部材（１）を着脱できない場合であっても、看護者が着用者の下着（１０）を脱がせることなく、本発明の漏れ防止部材（１）を容易に装着し、或いは、下着から取り外すことが出来る。
その結果、介護の労力を軽減することが可能である。
【図面の簡単な説明】
【００２０】
【図１】本発明の第１実施形態を示す平面図である。
【図２】図１の側面図である。
【図３】図１のＸ１―Ｘ１断面図である。
【図４】図１の予張されたゴム糸が織り込まれた側端部の明細図である。
【図５】図４におけるゴム糸が自由長に戻った状態の側面図である。
【図６】図５の正面図である。
【図７】図１の第１実施形態を下着に取り付けた状態を示す図である。
【図８】図７の側面図である。
【図９】本発明の第２実施形態を示す正面展開図である。
【図１０】図９の側面図である。
【図１１】従来の尿漏れ防止下着の一例を示す正面図である。
【図１２】図１１の側面図である。
【図１３】図１２のＸ矢視展開図である。
【図１４】図１３の側断面図である。
【図１５】従来の小便及び大便の漏れ防止下着の一例を示す側面図である。
【図１６】図１５のＸ矢視展開図である。
【図１７】図１６の側面図である。
【発明を実施するための形態】
【００２１】
以下、添付図面を参照して、本発明の実施形態について説明する。
図１〜図８は、第１実施形態を示しており、第１実施形態は尿漏れ防止部材に係る実施形態である。
【００２２】
図１〜図８において、漏れ防止部材１は、全体が４角形状の防水シート５と、その防水シート５の上部に取り付けられた直方体状の吸収体２と、その吸収体２の全周を包囲する薄紙状の表面体３とで構成されている。
【００２３】
吸収体２は、綿状のパルプ、紙、高分子吸収材で吸水可能に形成されている。吸収体２に使用される高分子吸収材は、例えば、ポリスチレン発泡体（構造式―〔Ｃ（Ｃ６Ｈ５）ＨＣＨ２〕ｎ―）であり、柔軟に形成されている。
吸収体２は、着用者の放尿部を十分にカバーする大きさ（着用者の放尿部を十分に覆うことが出来る大きさ）に設定されている。
ここで吸収体２の吸収量は、着用者の尿排出量に応じて決定される。例えば、平均的な体形の日本人成人 (男性身長１７１．１ｃｍ、体重６３．０ｋｇ、女性身長１５８．５１ｃｍ、体重５２．０ｋｇ・・総務省統計局２００６年資料)であれば、吸収体２の吸収量は、例えば４００グラム（ｇ）程度が好ましい。そして、その場合における吸収体２のサイズは、幅１００ｍｍ、高さ（長さ）１２０ｍｍ、厚さ８ｍｍ程度が好ましい。
【００２４】
防水シート５において、下着１０の身体Ｂに接する側には、下着１０に対して当該防水シート５を着脱可能とするため、粘着剤６が塗布されている（図２、３参照）。
この粘着剤６により、下着１０における着用者の身体Ｂと接する側に、防水シート５が密着して、取り付けられる（図７、図８参照）。
【００２５】
図１〜図３で示すように、防水シート５は吸収体２より大きく構成されており、吸収体２を完全にカバーしている。
防水シート５の大きさは、着用者の体格により設定されるべきである。例えば、平均的な身長、体重の日本人男性が着用する場合には、防水シート５は、幅２００ｍｍ、高さ（長さ）１７０ｍｍ程度であるのが好ましい。
なお、防水シート５を、下着１０における着用者の身体Ｂと接する側に取り付ける手法としては、粘着剤６の塗布に代えて、粘着テープ（面ファスナー）、ホック、ボタン等を用いて、下着１０における着用者の身体Ｂと接する側に取り付けることが可能である。また、多数の鉤と輪で構成された面ファスナー（例えば、株式会社クラレの「マジックテープ」（登録商標）に係る商品）を使用することも可能である。
【００２６】
図１〜図３において、吸収体２の全周をカバーしている表面体３は、着用者の身体Ｂと接する側からの透水性が確保される様に構成されている。
その様に構成すれば、着用者が尿を排出した場合に、排出された尿が表面体３を透過して、吸収体２に吸収される。
【００２７】
図１において、粘着剤６が、前記防水シート５の下着１０側（着用者の身体Ｂから離隔する側）に塗布される塗布領域は符号６ａで表示されている。
塗付領域６ａは、防水シート５の図１における上下端部近傍、例えば、上下端部５ｕ、５ｄから幅１ｃｍの範囲であるのが好ましい。
ここで、粘着剤６と防水シート５との密着性が極めて良好な場合には、粘着剤６の塗付領域６ａは、図１において、防水シート５の上端部５ｕのみであってもよい。
【００２８】
防水シート５において、図１の左側（符号Ｌ）及び右側（符号Ｒ）の両端部（着用者の脇側両端部）８、８は、図４で示すように、着用者の胸部Ｃ側と大腿部Ｔ側とを結ぶ方向（図４における上下方向、或いは、矢印ＵＬ方向）について弾性反撥力（引張力）を有する様に構成された紙材で構成されている。
縦方向に糸ゴムが織り込まれた防水シート５の紙材の詳細が、図４〜図６に示されている。
【００２９】
係る紙材は、例えば、図４における上下方向（矢印ＵＬ方向）に予張（予め引っ張られた状態）された糸ゴム９が織り込まれており、以って、糸ゴム９を内蔵している。
図５で示す使用時においては、糸ゴム９が自由長(伸長する以前の長さ）に戻り、着用者の胸部Ｃ側と大腿部Ｔ側とを結ぶ方向（図４における上下方向、或いは、矢印ＵＬ方向）について弾性反撥力（引張力）を発揮している。係る引張力により、紙材は、その上下方向（図４における矢印ＵＬ方向）に収縮して、図５、図６で示すように、波状８ｗを形成する。
【００３０】
糸ゴム９を内蔵することにより得られる紙材の弾性反撥力（引張力）によって、漏れ防止部材１を使用している際（着用時）に、防水シート５が着用者の大腿部（図示せず）に密着する。
図示の実施形態に係る漏れ防止部材１を使用（着用）している着用者が尿を排出した際に、当該尿の一部が吸収体２に吸収されなくても、防水シート５が着用者の大腿部（図示せず）に密着するので、吸収体２に吸収されなかった尿が、漏れ防止部材１から外部へ漏れてしまうことが防止される。
【００３１】
図７は、漏れ防止部材１が、下着１０（図７では展開した状態で示す）の身体Ｂに接触する側に取り付けられた状態を示している。
図７において、漏れ防止部材１の防水シート５が下着１０の身体Ｂに接触する側に取り付けられている。図７のＹ矢視側面を示す図８で明らかな様に、防水シート５は、粘着剤６によって下着１０の身体Ｂに接触する側に取り付けられている。
【００３２】
図１〜図８の第１実施形態によれば、防水シート５の粘着剤６によって、漏れ防止部材１を容易に下着１０に着用することができる。
その際に、ズボンや下着１０を脱ぐことなく、漏れ防止部材１を下着１０に容易に取り付け、下着１０から容易に取り外すことが可能である。
ここで、吸収体２は柔軟にできているので、下着１０に漏れ防止部材１を取り付けたとしても、着用者は違和感を覚えることが無い。
そして、吸収体２が柔軟であるため、漏れ防止部材１は、着用者の身体に密着する。そのため、着用者が排出した尿を確実に吸収し、外部に漏出させてしまうことが防止される。
【００３３】
さらに、両端部８、８の弾性によって、防水シート５は大腿部に密着するので、尿の一部が吸収体２に吸収されなくても、吸収されない尿が漏れ防止部材１外部へ漏れてしまうことが確実に防止される。
それに加えて、図１〜図８の第１実施形態によれば、自分で漏れ防止部材１Ｃを着脱できない要看護者については、看護者が漏れ防止部材１Ｃを容易に着脱することが出来るので、看護者（或いは介護者）の労力を軽減することが可能である。
これに加えて、漏れ防止部材１を取り外せば、下着１０はそのまま通常の下着として用いることが出来る。換言すれば、使用済みの漏れ防止部材１を廃棄した後も、下着１０はそのまま使用することが出来るので、下着１０自体は何度も使用し続けることが出来る。この点で、いわゆる「使い捨て」の紙おむつ等に比較して、経済的である。
【００３４】
図９、図１０は、本発明の第２実施形態を示している。
第２実施形態は、尿のみならず、大便の漏れをも防止することが出来る実施形態である。
図９、図１０において、図１〜図８の第１実施形態と同じ部位については、同じ符号を使用して説明する。
【００３５】
第２実施形態に係る漏れ防止部材は、図９及び図１０では符号１Ｃで示されている。
ここで、図９、図１０において、漏れ防止部材１Ｃを装着すべき下着１０は、仮想線（１点鎖線）で示されている。
図９、図１０において、漏れ防止部材１Ｃは、長方形状の防水シート５Ｃと、その防水シート５Ｃの上部に取り付けられた直方体状の吸収体２Ｃと、その吸収体２Ｃの全周を包囲する薄紙状の表面体３Ｃとを有している。
【００３６】
吸収体２Ｃは、綿状のパルプ、紙、高分子吸収材で構成されており、吸水性を有している。吸収体２Ｃに使用される材料の種類や性状は、図１〜図８に示した第１実施形態における吸収体２における材料の種類や性状と同様である。
吸収体２Ｃは、着用者の放尿部及び排便部（肛門）を十分にカバーする大きさに形成されている。
吸収体２Ｃの吸収量は、着用者の排尿量及び排便量に応じて設定されるのが好ましい。
例えば、平均体形の日本人 (男性身長１７１．１ｃｍ、体重６３．０ｋｇ、女性身長１５８．５１ｃｍ、体重５２．０ｋｇ)であれば、吸収体２Ｃの吸収量は、５００グラム（ｇ）程度が好ましい。
この場合の吸収体２のサイズは、幅１００ｍｍ、高さ（長さ）３３０ｍｍ、厚さ８ｍｍ程度が好ましい。
【００３７】
図９、図１０から明らかな様に、防水シート５Ｃは、吸収体２Ｃより大きく、吸収体２Ｃを完全にカバーするように構成されている。
防水シート５Ｃにおいて、着用者の身体に接触する側には、粘着剤６が塗布されている（図９、図１０参照）。漏れ防止部材１Ｃを下着１０へ容易に取り付け、容易に取り外せる様にするためである。
【００３８】
防水シート５Ｃにおける粘着剤６の塗付領域は、図９では符号６ｂで示されている。係る塗付領域６ｂは、防水シート５Ｃにおいて、着用者の胸部Ｃ側の端部５Ｃｕ近傍と、着用者の尻部Ｄ側の端部５Ｃｄ近傍である。
例えば、胸部Ｃ側の端部５Ｃｕから１ｃｍの範囲と、着用者の尻部Ｄ側の端部５Ｃｄから１ｃｍの範囲に設定されることが好ましい。
【００３９】
平均的な身長、体重の日本人男性に適用する場合には、防水シート５Ｃの大きさは、幅２００ｍｍ、高さ（長さ）３８０ｍｍ程度が好ましい。
なお、防水シート５Ｃへ粘着剤６を塗布することに代えて、粘着テープ（面ファスナー）、ホック、ボタン等を利用することも可能である。また、多数の鉤と輪で構成された面ファスナー（例えば、株式会社クラレの「マジックテープ」（登録商標）に係る商品）を使用することも可能である。
【００４０】
表面体３Ｃは、着用者の身体Ｂ側からは透水性を有する様に構成されている。尿や便が表面体３Ｃを通過して、吸収体２Ｃへ確実に吸収されるようにするためである。
【００４１】
防水シート５Ｃにおいて、図９の左側（符号Ｌ）及び右側（符号Ｒ）の両端部（着用者の脇側両端部）８Ｃ、８Ｃは、着用者の胸部Ｃ側と尻部Ｄ側とを結ぶ方向（図９における上下方向、或いは、矢印ＵＬ方向）について弾性反撥力（引張力）を有する様に構成された紙材で構成されている。
使用時においては、当該紙材の弾性反撥力（引張力）により、着用者の胸部Ｃ側と尻部Ｄ側とを結ぶ方向（図９における上下方向、或いは、矢印ＵＬ方向）について弾性反撥力（引張力）を発揮して、着用者の大腿部に密着する。これにより、漏れ防止部材１Ｃから外部へ便が漏れることを防止している。
【００４２】
図９、図１０の第２実施形態によれば、着用者が尿を失禁してしまった場合のみならず、意図せずに便を排出してしまった場合であっても、当該尿及び便を漏れ防止部材１Ｃによって確実に吸収して、漏れ防止部材１Ｃから外部へ漏らしてしまうことを防止することが出来る。
また、漏れ防止部材１Ｃは、防水シート５の粘着剤６によって、漏れ防止部材１Ｃを容易に下着１０に着用できるので、漏れ防止部材１Ｃはズボンや下着１０を脱ぐことなく着用出来る。
【００４３】
さらに、吸収体２Ｃは柔軟にできているので、着用者の身体Ｂに違和感なく密接して尿や便を吸収することができる。そして、尿や便の一部が吸収体２Ｃに吸収されない場合にも、防水シート５Ｃの左右両端部８Ｃ、８Ｃが弾性によって大腿部に密着するので、当該吸収されなかった尿や便が漏れ防止部材１Ｃの外部へ漏れてしまうことが防止できる。
図９、図１０の第２実施形態におけるその他の構成及び作用効果は、図１〜図８の第１実施形態と同様である。
【００４４】
図示の実施形態はあくまでも例示であり、本発明の技術的範囲を限定する趣旨の記述ではない。
【符号の説明】
【００４５】
１、１Ｃ・・・・便漏れ部材
２、２Ｃ・・・・吸収体
３、３Ｃ・・・・表面材
５、５Ｃ・・・・防水シート
６・・・・・・・粘着材
８、８Ｃ・・・・防水シートにおいて縦方向に弾性を有する領域
９・・・・・・・糸ゴム
１０・・・・・・下着
【図１】
2011030864.tif 000003
【図２】
2011030864.tif 000004
【図３】
2011030864.tif 000005
【図４】
2011030864.tif 000006
【図５】
2011030864.tif 000007
【図６】
2011030864.tif 000008
【図７】
2011030864.tif 000009
【図８】
2011030864.tif 000010
【図９】
2011030864.tif 000011
【図１０】
2011030864.tif 000012
【図１１】
2011030864.tif 000013
【図１２】
2011030864.tif 000014
【図１３】
2011030864.tif 000015
【図１４】
2011030864.tif 000016
【図１５】
2011030864.tif 000017
【図１６】
2011030864.tif 000018
【図１７】
2011030864.tif 000019